(57)【要約】      （修正有）【課題】排水パイプの目詰まりを生じないようにして防護壁の崩壊を防止可能な土砂堤用排水装置を提供する。【解決手段】土砂堤２１の土砂崩れを防止するための土砂堤用排水装置であって、土砂堤の外側面を覆う防護壁２と、防護壁を貫通して防護壁内に配設され、土砂堤の収集された水を防護壁の表面側に排水する排水パイプ３と、土砂堤に埋設され、土砂堤の水を収集するための複数の水収集孔が形成された集水パイプ４とを備え、排水パイプの防護壁の裏面側の端面部は、集水パイプの側面部に接続されている。【選択図】図１
0003196277.tif 000002
【実用新案登録請求の範囲】
【請求項１】
土砂堤の土砂崩れを防止するための土砂堤用排水装置であって、
前記土砂堤の外側面を覆う防護壁と、
前記防護壁を貫通して前記防護壁内に配設され、前記土砂堤の収集された水を前記防護壁の表面側に排水する排水パイプと、
前記土砂堤に埋設され、前記土砂堤の水を収集するための複数の水収集孔が形成された集水パイプと
を備え、
前記排水パイプの前記防護壁の裏面側の端面部は、前記集水パイプの側面部に接続されている
ことを特徴とする土砂堤用排水装置。
【請求項２】
前記水収集孔の孔径は、地下水を通すが土砂物を通しにくい大きさである
ことを特徴とする請求項１に記載の土砂堤用排水装置。
【請求項３】
前記集水パイプは、地面に対してほぼ水平方向であって前記排水パイプの軸線にほぼ直交する方向に配設されている
ことを特徴とする請求項１乃至２のいずれか一項に記載の土砂堤用排水装置。
【請求項４】
前記水収集孔は、前記土砂堤に埋設された前記集水パイプの上半部に形成されている
ことを特徴とする請求項１乃至３のいずれか一項に記載の土砂堤用排水装置。
【請求項５】
前記集水パイプの両端面は閉鎖されている
ことを特徴とする請求項１乃至４のいずれか一項に記載の土砂堤用排水装置。
【請求項６】
複数の前記排水パイプが、水平方向に間隔をおいて配列されて水平列をなすととも、複数の前記水平列が上下方向に間隔をおいて配設されており、
複数の前記集水パイプの各々が前記排水パイプに接続されている
ことを特徴とする請求項１乃至５のいずれか一項に記載の土砂堤用排水装置。
【請求項７】
最下位に位置する前記水平列よりも下位位置に配設された連続集水パイプ列を備え、
前記連続集水パイプ列は、水平方向に間隔をおいて配列された複数の前記排水パイプと、複数の前記排水パイプの各々の前記防護壁の裏面側の端面部が接続された一本の連続集水パイプとから構成される
ことを特徴とする請求項６に記載の土砂堤用排水装置。
【考案の詳細な説明】
【技術分野】
【０００１】
本考案は土砂堤用排水装置に係り、特に、土砂堤の土砂崩れを防止するための防護壁を備える土砂堤用排水装置に関する。
【背景技術】
【０００２】
一般的に道路沿いの斜面の土砂堤の土砂崩れを防止する土砂堤用排水装置が施工されている。
【０００３】
図６に示すように、従来の土砂堤用排水装置２０は、土砂堤２１の外側面を覆う防護壁２２と、防護壁２２を貫通して防護壁２２内に配設され、土砂堤２１の収集された水を防護壁２２の外側に排水するための排水パイプ２３とを備えている。排水パイプ２３は、図７に示すように、水平方向に間隔をおいて配列されて水平列をなすととも複数の水平列が上下方向に間隔をおいて配設されている。符合１０は道路を示し、符合１０ａは側溝を示す。
【先行技術文献】
【特許文献】
【０００４】
【特許文献１】特願２００２−２６９６５６号公報
【考案の開示】
【考案が解決しようとする課題】
【０００５】
しかしながら、全国各地に施工された土砂堤用排水装置２０における排水パイプ２３の約９０％以上のものにおいて、排水パイプ２３の奥側及び流出口でヘドロ等の固結して目詰まり状態になっていて、排水パイプ２３の排水機能を十分には果たしていないのが実状である。
【０００６】
この実情を生じさせる原因を図８及び図９を参照して説明する。地下水１１は豪雨時や長時間の降雨時には、通常時より流速が早くなり土砂堤２１中を流速を増して流動し、図８の符合１２で示すような地下水の流入状況が形成される。地下水の流入状況１２において、地下水１１が排水パイプ２３の防護壁２２の裏面側の端部に集中するために、微粒子１３が移動して排水パイプ２３の流入口に集合堆積し、徐徐に排水パイプ２３の流入口が塞がれる。降雨の度にこのようなことが繰り返され、図９に示すように排水パイプ２３内に微粒子１３が堆積し目詰まりを起こし、この結果、排水パイプ２３を介して排出されない地下水１１ａは防護壁２２の裏面に沿って下方向へ移動して水圧が膨大し、防護壁２２を崩壊させることになっている。
【０００７】
そこで、本願考案の目的は、上記の従来技術の問題を解消し、排水パイプの目詰まりを生じないようにして防護壁の崩壊を防止可能な土砂堤用排水装置を提供することである。
【課題を解決するための手段】
【０００８】
上記目的を達成するために、本願考案は、土砂堤の土砂崩れを防止するための土砂堤用排水装置であって、前記土砂堤の外側面を覆う防護壁と、前記防護壁を貫通して前記防護壁内に配設され、前記土砂堤の収集された水を前記防護壁の表面側に排水する排水パイプと、前記土砂堤に埋設され、前記土砂堤の水を収集するための複数の水収集孔が形成された集水パイプとを備え、前記排水パイプの前記防護壁の裏面側の端面部は、前記集水パイプの側面部に接続されていることを特徴とする。
【０００９】
また、前記水収集孔の孔径は、地下水を通すが土砂物を通しにくい大きさであることを特徴とする。
【００１０】
また、前記集水パイプは、地面に対してほぼ水平方向であって前記排水パイプの軸線にほぼ直交する方向に配設されていることを特徴とする。
【００１１】
また、前記水収集孔は、前記土砂堤に埋設された前記集水パイプの上半部に形成されていることを特徴とする。
【００１２】
また、前記集水パイプの両端面は閉鎖されていることを特徴とする。
【００１３】
また、複数の前記排水パイプが、水平方向に間隔をおいて配列されて水平列をなすととも、複数の前記水平列が上下方向に間隔をおいて配設されており、複数の前記集水パイプの各々が前記排水パイプに接続されていることを特徴とする。
【００１４】
また、最下位に位置する前記水平列よりも下位位置に配設された連続集水パイプ列を備え、前記連続集水パイプ列は、水平方向に間隔をおいて配列された複数の前記排水パイプと、複数の前記排水パイプの各々の前記防護壁の裏面側の端面部が接続された一本の連続集水パイプとから構成されることを特徴とする。
【考案の効果】
【００１５】
本願考案の構成によれば、土砂堤に埋設され、土砂堤の水を収集するための複数の水収集孔が形成された集水パイプを備え、排水パイプの防護壁の裏面側の端面部は、集水パイプの側面部に接続されているので、地下水は集水パイプの水収集孔から流入する一方、土塊等の微粒子は水収集孔から流入することが妨げられるので、集水パイプによって地下水のみを集水することが可能になり、排水パイプの目詰まりを生じないようにして防護壁の崩壊を防止することができる。
【図面の簡単な説明】
【００１６】
【図１】本願考案の一実施の形態に係る土砂堤用排水装置を示す断面図。
【図２】図１の排水パイプと集水パイプを拡大して示す図。
【図３】集水パイプを示す平面と排水パイプの断面を示す図。
【図４】排水パイプと集水パイプの水平列を示す図。
【図５】本願考案の他の実施の形態に示す図。
【図６】従来の土砂堤用排水装置の一例を示す図。
【図７】図６における紙面に垂直方向の断面図。
【図８】排水パイプの排水機能を果たしていないことを説明する図。
【図９】排水パイプの排水機能をさらに果たしていないことを説明する図。
【考案を実施するための最良の形態】
【００１７】
以下に図面を参照して、本願考案に係る土砂堤用排水装置１の実施の形態について説明する。  
図１に示すように、土砂堤用排水装置１は、土砂堤２１の外側面を覆うコンクリート製の防護壁２と、防護壁２を貫通して防護壁２内に配設され、土砂堤２１の収集された水を防護壁２の外側に排水１４として道路１０の側溝１０ａ等に排水する排水パイプ３と、土砂堤２１に埋設され、土砂堤２１の水を収集するための複数の水収集孔５が形成された集水パイプ４とを備えている。排水パイプ３の防護壁２の裏面側の端面部は、集水パイプ４の側面部に形成された流入口４ａに接続されている。排水パイプ２３の直径は例えば約３０〜５０ｍｍであり、集水パイプ４の直径は排水パイプ２３の直径とほぼ同程度の大きさである。
【００１８】
図３に示すように、集水パイプ４は、地面に対してほぼ水平方向であって排水パイプ３の軸線にほぼ直交する方向に配設されている。集水パイプ４の長手方向の端面は閉じており、水収集孔５から流入した地下水１１は流入口４ａから排水パイプ３へ流入する。排水パイプ３は防護壁２の裏面側から表面側に向かってわずかに下降傾斜して配設されている。
【００１９】
水収集孔５の孔径の大きさは、地下水１１を通すが砂や土塊等の土砂物の微粒子１３を通しにくい大きさに設定される。このために、水収集孔５の孔径は、微粒子１３の流入を阻止するともに地下水１１の流入を妨げないような大きさに、例えば直径が５ｍｍ〜８ｍｍ程度に選択されている。なお、水収集孔５の大きさは、すべてが均一の大きさである必要はなく、水収集孔５が形成されえる位置に応じて変えてもよく、例えば、集水パイプ４の流入口４ａから離れるほどより大きく形成し集水パイプ４の集水能力を均一的に分布させるようにしてもよく、あるいは、集水パイプ４の流入口４ａに近い程より大きく形成し集水パイプ４の集水能力を流入口４ａの近傍に集中させるようにしてもよい。
【００２０】
また、水収集孔５の個数は、少なすぎると集水能力が低くなるので、集水パイプ４の強度が確保される範囲で多い程よいが、適当数以上の個数を設ければ所望の機能を達成することが可能である。
【００２１】
また、水収集孔５が形成される位置は、地下水１１が下方へ流れることを考慮して、集水パイプ４の底部を除き少なくとも上半部の部位に形成するのが好ましい。この場合、集水パイプ４で集水された地下水は、水収集孔５が形成されていない集水パイプ４の底部を含む下半部に貯水されながら排水パイプ２３へ流入して排水される。
【００２２】
図４に示すように、土砂堤用排水装置１においては、複数の排水パイプ３が、水平方向に間隔をおいて配列されて水平列７をなすととも、複数の水平列７が上下方向に間隔をおいて配設されている。複数の集水パイプ３の各々が排水パイプ４に接続されている。
【００２３】
以上のように、本実施の形態によれば、排水パイプ３は集水パイプ４に接続され、集水パイプ４には水収集孔５が形成されているので、土砂堤２１を下降して流れる地下水１１は集水パイプ４の水収集孔５から流入する一方、微粒子１３は水収集孔５から流入することが妨げられるので、集水パイプ４によって地下水１１のみを集水することが可能になり、排水パイプ３の目詰まりを生じないようにして防護壁２の崩壊を防止することができる。
【００２４】
次に図５を参照して、本考案の他の実施の形態について説明する。  
本実施の形態においては、図４における最下位に位置する水平列７よりも下位位置に配設された連続集水パイプ列９を備えている。連続集水パイプ列９は、水平方向に間隔をおいて配列された複数の排水パイプ３と、複数の排水パイプ３の各々の防護壁２の裏面側の端面部が接続された一本の連続集水パイプ８とから構成されている。連続集水パイプ列９は水平列７に平行に形成されており、隣接する排水パイプ３の間の間隔は、水平列７の場合に比べてより小さく設定されている。連続集水パイプ列９においては、両端のみが閉鎖されており複数の排水パイプ３の各々毎に途中に区切りは形成されていない。しかしながら、隣接する排水パイプ３の中間部に閉鎖区切りを形成し、各々の排水パイプ３に連続集水パイプ８の一部を組合せ各々の排水パイプ３を独立的に機能させることも可能である。
【００２５】
また、連続集水パイプ列９は道路１０の側溝１０ａより上方部に形成されているのが好ましい。また、連続集水パイプ列９の水平方向の長さは、防護壁２のほぼ横幅全長に渡る長さを有するのが好ましい。
【００２６】
連続集水パイプ列９を設けることによって、上部にある水平列７によって排水されずに下方で送られた地下水１１を確実に外部へ排水することが可能になり、防護壁２の上部で排水されないことによる防護壁２への水圧を緩和することができ、結果的に防護壁２の上下部の全体の水圧負荷による崩壊を防止することが可能になる。
【符号の説明】
【００２７】
１  土砂堤用排水装置
２  防護壁
３  排水パイプ
４  集水パイプ
５  水収集孔
７  水平列
８  連続集水パイプ
９  連続集水パイプ列
１０  道路
１０ａ  側溝
１１  地下水
１３  微粒子
【図１】
0003196277.tif 000003
【図２】
0003196277.tif 000004
【図３】
0003196277.tif 000005
【図４】
0003196277.tif 000006
【図５】
0003196277.tif 000007
【図６】
0003196277.tif 000008
【図７】
0003196277.tif 000009
【図８】
0003196277.tif 000010
【図９】
0003196277.tif 000011